(57)【要約】【課題】本発明は、良好な防水効果が得られる電気コネクタを提供することを目的とする。【解決手段】本発明の電気コネクタは、基部及び舌板を有する絶縁性本体と、前記絶縁性本体に固着され、接触部を含み、前記舌板の表面から露出される導電部と、半田接続部とを有する二列の端子と、前記絶縁性本体を遮蔽するハウジングと、防水膜と、を備える。前記舌板の表面の導電部が配置される区域には、端子機能区域が形成される。前記防水膜が前記端子機能区域を被覆する。【選択図】図５
2017041436.tif 000002
【特許請求の範囲】
【請求項１】
基部及び舌板を有する絶縁性本体と、
前記絶縁性本体に固着され、接触部を含み、前記舌板の表面から露出される導電部と、半田接続部とを有する二列の端子と、
前記絶縁性本体を遮蔽するハウジングと、
防水膜と、
を備え、
前記舌板の表面の導電部が配置される区域には、端子機能区域が形成され、前記防水膜が前記端子機能区域を被覆することを特徴とする電気コネクタ。
【請求項２】
各前記防水膜は、横方向に沿って対応する一列の端子を被覆することを特徴とする請求項１に記載の電気コネクタ。
【請求項３】
各端子は、前記接触部の前端に設けられ、前記舌板に嵌め込まれる嵌合部を有し、前記防水膜の前端が、前記嵌合部の前端よりも前記舌板の前端に隣接することを特徴とする請求項１に記載の電気コネクタ。
【請求項４】
前記絶縁性本体の舌板の後端には、前記基部と連接するプラットフォームが設けられ、前記防水膜が前記プラットフォームに届くことを特徴とする請求項１に記載の電気コネクタ。
【請求項５】
前記舌板が上表面及び下表面を含み、前記端子が前記舌板の上表面及び下表面に配置される二列を含み、前記端子機能区域が前記舌板の上表面及び下表面に配置される一対を含み、前記防水膜が前記一対の端子機能区域を被覆する一対を含むことを特徴とする請求項１〜４のうちの何れか一項に記載の電気コネクタ。
【発明の詳細な説明】
【技術分野】
【０００１】
本発明は、電気コネクタに関し、特に、正面で或いは反面で挿入可能なソケットコネクタタに関するものである。
【背景技術】
【０００２】
従来のソケットコネクタは、舌板が設けられる絶縁性本体と、前記舌板に固着される複数の端子と、ハウジングと、を備える。前記絶縁性本体の後端には、保持面が形成される。前記保持面及びハウジングの内壁面には、接着剤が塗られる。
【０００３】
前記端子と舌板との間には、小さいスリットが存在する。このスリットによって、水分が前記ソケットコネクタに入ることがある。
【先行技術文献】
【特許文献】
【０００４】
【特許文献１】台湾実用新案第Ｍ４９７８６８号明細書
【特許文献２】中国実用新案第２０４１６７５９０号明細書
【発明の概要】
【発明が解決しようとする課題】
【０００５】
そこで、本発明の目的は、良好な防水効果が得られる電気コネクタを提供することにある。
【課題を解決するための手段】
【０００６】
前記目的を達成するために、本発明のプラグコネクタは、基部及び舌板を有する絶縁性本体と、前記絶縁性本体に固着され、接触部を含み、前記舌板の表面から露出される導電部と、半田接続部とを有する二列の端子と、前記絶縁性本体を遮蔽するハウジングと、防水膜と、を備える。前記舌板の表面の導電部が配置される区域には、端子機能区域が形成される。前記防水膜は、前記端子機能区域を被覆する。
【発明の効果】
【０００７】
従来の技術と比べると、本発明は以下の長所を有する。端子を収納するための端子溝と端子の間にはスリットが形成される。前記防水膜が前記端子機能区域を被覆することによって、前記端子溝と端子の間のスリットによって漏水することを防止できる。又、前記防水膜は、耐摩耗性、抗腐蝕能力を具備し、端子機能区域を保護できる。
【図面の簡単な説明】
【０００８】
【図１】本発明の電気コネクタの組立斜視図である。
【図２】図１に示す電気コネクタの部分の分解斜視図である。
【図３】図２に示す電気コネクタを別の角度から見た部分の分解斜視図である。
【図４】防水膜が絶縁性本体から離れる斜視図である。
【図５】図１に示す電気コネクタが回路基板に半田接続されるV―V線沿って切る断面図である。
【発明を実施するための形態】
【０００９】
図１〜図５に示すように、本発明の電気コネクタ１００は、絶縁性本体１と、前記絶縁性本体１に固着される二列の端子２と、一対の矩形の防水膜６と、前記二列の端子２の間に配置される金属片３と、前記絶縁性本体に取り付けられる金属シェル４と、前記金属シェル４に取り付けられるハウジング５と、を備える。
【００１０】
前記絶縁性本体１は、基部１１と、前記基部１１から前向きに延在する舌板１３と、を備える。前記舌板１３の後端には、前記基部１１と連接するプラットフォーム１２が設けられる。
【００１１】
前記二列の端子２は、反方向に沿って対称に配置される。各端子２は、接触部２１１が設けられる導電部２１と、前記接触部２１１の前端に設けられ、前記舌板１２に嵌め込まれる嵌合部２２と、前記絶縁性本体１から延出する半田接続部２３と、を備える。
【００１２】
前記金属シェル４の前端が、前記ハウジング５に対して、前向きに延在する。
【００１３】
前記ハウジング５は、上壁５１１と、下壁５１２と、前記上壁５１１及び下壁５１２を連接する一対の側壁５１３と、を有する主体部５１と、前記主体部５１の後端に設けられる後壁５３と、前記後壁５３から折り曲げられる一対のビーム部５４と、を備える。前記主体部５１は、前記側壁５１３から前記後壁５３に向かって延在する一対の側部５１４と、を備える。前記一対のビーム部５４はそれぞれ、前記一対の側部５１４に当接する。
【００１４】
前記電気コネクタ１００を組み立てる場合、二列の端子２は、前記絶縁性本体１に固着される。前記端子２の嵌合部２２が前記舌板１２に嵌め込まれる。前記二列の端子２の導電部２１は、それぞれ前記舌板１２の上表面及び下表面に露出される。前記舌板１２の二つの表面の導電部２１が配置される区域には、二つの端子機能区域１２１が形成される。前記一対の防水膜６は、それぞれ前記舌板１２の上表面の端子機能区域１２１及び下表面の端子機能区域１２１に被覆される。
【００１５】
前記防水膜６の前端は、前記端子２の嵌合部２２の前端よりも前記舌板１２の前端に隣接する。前記防水膜６は、後向きに延在して前記プラットフォーム１３に届く。各前記防水膜６は、横方向に沿って対応する一列の端子２の導電部２１を被覆する。
【００１６】
前記絶縁性本体１は、前記金属シェル４に収納された後、前記金属シェル４と一緒に前記ハウジング５の主体部５１に収納される。前記ハウジング５が折り曲げられ、前記後壁５３を形成し、前記側部５１４に当接するビーム部５４を形成する。
【００１７】
前記舌板１２には、前記端子２を収納するための端子溝が形成される。前記端子溝の寸法が前記端子２の寸法より大きく、端子溝と端子２の間には水分が入るスリットが形成される。前記防水膜６が前記端子機能区域を被覆し、前記スリットをシールし、前記端子溝と端子２の間のスリットによって漏水することを防止できる。前記防水膜６は、耐摩耗性、抗腐蝕能力を具備し、端子機能区域を保護する。前記電気コネクタ１００が相手コネクタと接続する時、前記防水膜６は、端子２が相手コネクタの端子と電気接続することを阻止しない。
【符号の説明】
【００１８】
１００  電気コネクタ
１  絶縁性本体
１１  基部
１２  舌板
１２１  端子機能区域
１３  プラットフォーム
２  端子
２１  導電部
２１１  接触部
２２  嵌合部
２３  半田接続部
３  金属片
４  金属シェル
５  ハウジング
５１  主体部
５１１  上壁
５１２  下壁
５１３  側壁
５１４  側部
５３  後壁
５４  ビーム部
【図１】
2017041436.tif 000003
【図２】
2017041436.tif 000004
【図３】
2017041436.tif 000005
【図４】
2017041436.tif 000006
【図５】
2017041436.tif 000007